(57)【特許請求の範囲】
【請求項１】
定電圧電源回路と、
第１リモートセンス端子と、
プルアップ抵抗を通じて所定電圧にプルアップされた第２リモートセンス端子と、
前記定電圧電源回路を制御する制御装置と、を備え、
前記制御装置は、前記第２リモートセンス端子の電圧が閾値電圧未満であることを条件として、前記第１リモートセンス端子と前記第２リモートセンス端子との間の電位差に基づいて前記定電圧電源回路の出力電圧を制御し、
前記第２リモートセンス端子の電圧が前記閾値電圧以上であることを条件として、前記第２リモートセンス端子の電圧に基づいて所定の制御パラメータを設定する、電源装置。
【請求項２】
請求項１に記載の電源装置において、前記所定の制御パラメータは、前記定電圧電源回路の出力電流の電流制限値である、電源装置。
【発明の詳細な説明】
【技術分野】
【０００１】
本発明は、リモートセンス機能を有する電源装置に関する。
【背景技術】
【０００２】
負荷装置の電圧を入力するリモートセンス端子を備え、そのリモートセンス端子の電圧に基づいて出力電圧を制御するリモートセンス機能を有する電源装置が公知である（例えば特許文献１〜３を参照）。このような電源装置においては、負荷装置の回路の特定部分をケーブル等でリモートセンス端子に接続することによって、その負荷装置の回路の特定部分の電圧を電源装置にフィードバックすることができる。つまりリモートセンス機能を有する電源装置は、リモートセンス端子を通じてフィードバックされた負荷装置の回路の特定部分の電圧に基づいて出力電圧を制御することができるので、その負荷装置の回路の特定部分の電圧を高精度に所定電圧に維持することができる。
【先行技術文献】
【特許文献】
【０００３】
【特許文献１】特開平１１−３２７６６３号公報
【特許文献２】特許第２９４４６３４号公報
【特許文献３】特開２００２−２６２５５３号公報
【発明の概要】
【発明が解決しようとする課題】
【０００４】
しかしながら現実問題として、電源装置がリモートセンス機能を有していても、例えば電源ケーブルで生ずる電圧降下が負荷装置の仕様上ほとんど問題にならない等の理由で、リモートセンス機能を使用しない場合も少なくない。この場合、リモートセンス機能のために電源装置に設けられた回路が全く使用されず無駄になってしまう。
【０００５】
このような状況に鑑み本発明はなされたものであり、その目的は、リモートセンス機能のために設けられた回路を他の用途にも使用することが可能な電源装置を提供することにある。
【課題を解決するための手段】
【０００６】
＜本発明の第１の態様＞
本発明の第１の態様は、定電圧電源回路と、第１リモートセンス端子と、プルアップ抵抗を通じて所定電圧にプルアップされた第２リモートセンス端子と、前記定電圧電源回路を制御する制御装置と、を備え、前記制御装置は、前記第２リモートセンス端子の電圧が閾値電圧未満であることを条件として、前記第１リモートセンス端子と前記第２リモートセンス端子との間の電位差に基づいて前記定電圧電源回路の出力電圧を制御し、前記第２リモートセンス端子の電圧が前記閾値電圧以上であることを条件として、前記第２リモートセンス端子の電圧に基づいて所定の制御パラメータを設定する、電源装置である。
【０００７】
第１リモートセンス端子と第２リモートセンス端子との間の電位差に基づいて定電圧電源回路の出力電圧を制御する場合、第２リモートセンス端子は、負荷装置側でグランドに短絡される。したがって、このときの第２リモートセンス端子の電圧は、ほぼ０Ｖとなる。
【０００８】
他方、第２リモートセンス端子は、プルアップ抵抗を通じて所定電圧にプルアップされている。したがってリモートセンスを使用した出力電圧制御を実行しない場合、電源装置のグランド端子と第２リモートセンス端子との間に外付け抵抗が取り付けられると、第２リモートセンス端子の電圧は、プルアップ抵抗の抵抗値と外付け抵抗の抵抗値との比率で所定電圧（プルアップ電圧）を分圧した電圧となる。そしてこのときの第２リモートセンス端子の電圧は、外付け抵抗の抵抗値を変更することによって変更することができる。また第２リモートセンス端子が開放された状態になると、第２リモートセンス端子の電圧は、所定電圧（プルアップ電圧）となる。
【０００９】
制御装置は、第２リモートセンス端子の電圧が閾値電圧未満であることを条件として、第２リモートセンス端子が負荷装置側でグランドに接続されていると判定する。この場合、制御装置は、第１リモートセンス端子と第２リモートセンス端子との間の電位差に基づいて定電圧電源回路の出力電圧を制御する。他方、制御装置は、第２リモートセンス端子の電圧が閾値電圧以上であることを条件として、電源装置のグランド端子と第２リモートセンス端子との間に外付け抵抗が取り付けられているか、あるいは第２リモートセンス端子が開放されていると判定する。この場合、制御装置は、そのときの第２リモートセンス端子の電圧に基づいて所定の制御パラメータを設定する。
【００１０】
すなわち本発明に係る電源装置は、リモートセンス機能を備えるとともに、リモートセンス機能を使用しない場合には、第２リモートセンス端子を所定の制御パラメータの設定端子として使用することができる。そして所定の制御パラメータは、外付け抵抗の抵抗値によって任意の値に設定することができる。
【００１１】
これにより本発明の第１の態様によれば、リモートセンス機能のために設けられた回路を他の用途にも使用することが可能な電源装置を提供できるという作用効果が得られる。
【００１２】
＜本発明の第２の態様＞
本発明の第２の態様は、前述した本発明の第１の態様において、前記所定の制御パラメータは、前記定電圧電源回路の出力電流の電流制限値である、電源装置である。
本発明の第２の態様によれば、リモートセンス機能を使用しない場合には、定電圧電源回路の出力電流の電流制限値の設定端子として第２リモートセンス端子を使用することができる。
【発明の効果】
【００１３】
本発明によれば、リモートセンス機能のために設けられた回路を他の用途にも使用することが可能な電源装置を提供することができる。
【図面の簡単な説明】
【００１４】
【図１】本発明に係るＤＣ／ＤＣコンバータの構成を図示したブロック図。
【図２】リモートセンスを使用した出力電圧制御を実行するシステム構成のブロック図。
【図３】リモートセンスを使用した出力電圧制御を実行しないシステム構成のブロック図。
【図４】外付け抵抗の抵抗値と定電圧電源回路の電流制限値との関係を示す表。
【図５Ａ】制御部による制御手順を図示したフローチャート。
【図５Ｂ】制御部による制御手順を図示したフローチャート。
【発明を実施するための形態】
【００１５】
以下、本発明の実施の形態について図面を参照しながら説明する。
尚、本発明は、以下説明する実施例に特に限定されるものではなく、特許請求の範囲に記載された発明の範囲内で種々の変形が可能であることは言うまでもない。
【００１６】
＜ＤＣ／ＤＣコンバータ１０の構成＞
本発明に係る「電源装置」の一例としてのＤＣ／ＤＣコンバータ１０の構成について、図１を参照しながら説明する。
図１は、本発明に係るＤＣ／ＤＣコンバータ１０の構成を図示したブロック図である。
【００１７】
ＤＣ／ＤＣコンバータ１０は、絶縁型ＤＣ／ＤＣコンバータであり、定電圧電源回路１１、入力電圧検出回路１２、出力電圧検出回路１３、制御部１４、アイソレータ１５、ドライバ１６、リモートセンス回路１７を備える。
【００１８】
定電圧電源回路１１は、第１スイッチング回路１１１、第１トランス１１２、出力整流回路１１３を含む。
【００１９】
第１スイッチング回路１１１は、入力側に入力電圧Ｖinと一次側グランドＧＮＤ１が接続されており、入力電圧Ｖinをスイッチングする回路である。より具体的には第１スイッチング回路１１１は、トランジスタやＭＯＳＦＥＴ（Metal-oxide-semiconductor Field Effect Transistor）等のスイッチング素子で入力電圧Ｖinをスイッチング（オン／オフ）することによって、直流電圧である入力電圧Ｖinを交流電圧に変換し、第１トランス１１２の一次巻線Ｌ１１へ供給する回路である。第１スイッチング回路１１１におけるスイッチングは、制御部１４によって制御される。
【００２０】
第１トランス１１２は、一次巻線Ｌ１１及び二次巻線Ｌ１２を含み、第１スイッチング回路１１１のスイッチング動作により一次巻線Ｌ１１に供給される交流電圧を二次巻線Ｌ１２へ伝達する。より具体的には第１トランス１１２は、一次巻線Ｌ１１の巻数Ｎ１と二次巻線Ｌ１２の巻数Ｎ２との巻数比（Ｎ１／Ｎ２）に応じた比率で、一次巻線Ｌ１１に生ずる交流電圧を変圧して二次巻線Ｌ１２へ伝達する。
【００２１】
出力整流回路１１３は、二次巻線Ｌ１２へ伝達された電力を整流して出力する回路である。より具体的には出力整流回路１１３は、ダイオード等の整流素子とコイルやコンデンサ等の素子を組み合わせて構成された回路であり、二次巻線Ｌ２２から出力される交流電圧を整流及び平滑して直流電圧に変換する回路である。出力整流回路１１３から出力される直流電圧は、出力電圧Ｖoutとなる。
【００２２】
入力電圧検出回路１２は、入力電圧Ｖinを検出する回路であり、第２スイッチング回路１２１、第２トランス１２２、レギュレータ１２３、ショットキーバリアダイオードＳＢＤ１、抵抗Ｒ１、Ｒ２、コンデンサＣ１を含む。
【００２３】
第２スイッチング回路１２１は、所定の周期で入力電圧Ｖinをスイッチングする回路である。より具体的には第２スイッチング回路１２１は、直流電圧である入力電圧Ｖinを所定の周波数の交流電圧に変換し、第２トランス１２２の一次巻線Ｌ２１へ供給する回路である。第２トランス１２２は、一次巻線Ｌ２１及び二次巻線Ｌ２２を含み、第２スイッチング回路１２１のスイッチング動作により一次巻線Ｌ２１に供給される交流電圧を二次巻線Ｌ２２へ伝達する。レギュレータ１２３は、例えば三端子レギュレータであり、第２トランス１２２の二次巻線Ｌ２２の一端側の電圧を電圧ＶＬ（＋３．３Ｖ）に維持する定電圧回路である。
【００２４】
ショットキーバリアダイオードＳＢＤ１とコンデンサＣ１は、第２トランス１２２の二次巻線Ｌ２２に出力される交流電圧を整流して直流電圧に変換する整流回路を構成する。より具体的には、ショットキーバリアダイオードＳＢＤ１は、第２トランス１２２の二次巻線Ｌ２２の他端側にアノードが接続されており、コンデンサＣ１の一端側にカソードが接続されている。コンデンサＣ１の他端側は、二次側グランドＧＮＤ２に接続されている。２つの抵抗Ｒ１、Ｒ２は、分圧回路を構成する。より具体的には、抵抗Ｒ１は、一端側がショットキーバリアダイオードＳＢＤ１のカソードに接続されており、他端側が抵抗Ｒ２の一端側に接続されている。抵抗Ｒ２の他端側は、二次側グランドＧＮＤ２に接続されている。また抵抗Ｒ１と抵抗Ｒ２の接続点は、制御部１４に接続されている。
【００２５】
出力電圧検出回路１３は、２つの抵抗Ｒ３、Ｒ４で構成される分圧回路であり、出力電圧Ｖoutを検出する回路である。より具体的には、抵抗Ｒ３は、一端側が出力電圧Ｖoutに接続されており、他端側が抵抗Ｒ４の一端側に接続されている。抵抗Ｒ４の他端側は、二次側グランドＧＮＤ２に接続されている。また抵抗Ｒ３と抵抗Ｒ４の接続点は、制御部１４に接続されている。
【００２６】
「制御装置」としての制御部１４は、公知のマイコン制御装置であり、入力電圧検出回路１２で検出された入力電圧Ｖin、出力電圧検出回路１３で検出された出力電圧Ｖoutに基づいて、定電圧電源回路１１を制御する。より具体的には制御部１４は、入力電圧Ｖinが変動しても一定の出力電圧Ｖoutが維持されるように、入力電圧Ｖinの変動に応じて第１スイッチング回路１１１におけるスイッチングのデューティ比を増減調整する定電圧制御を実行する。アイソレータ１５は、二次側に設けられた制御部１４と一次側に設けられたドライバ１６との接続を直流的に絶縁する。ドライバ１６は、制御部１４から出力される制御信号に基づいて、第１スイッチング回路１１１のスイッチング素子を駆動する回路である。
【００２７】
リモートセンス回路１７は、ＳＥＮＳＥ＋端子、ＳＥＮＳＥ−／ＯＣＰＳＥＬ端子、４つの抵抗Ｒ５〜Ｒ８を含む。
【００２８】
「第１リモートセンス端子」としてのＳＥＮＳＥ＋端子は、抵抗Ｒ６の一端側に接続されている。抵抗Ｒ６の他端側は、抵抗Ｒ７の一端側に接続されている。抵抗Ｒ７の他端側は、二次側グランドＧＮＤ２に接続されている。また抵抗Ｒ６と抵抗Ｒ７との接続点は、制御部１４に接続されている。さらにＳＥＮＳＥ＋端子は、抵抗Ｒ５を通じて出力電圧Ｖoutに接続されている。制御部１４は、抵抗Ｒ６と抵抗Ｒ７との接続点の電圧に基づいて、ＳＥＮＳＥ＋端子の電圧を求めることができる。
【００２９】
「第２リモートセンス端子」としてのＳＥＮＳＥ−／ＯＣＰＳＥＬ端子は、制御部１４に接続されている。またＳＥＮＳＥ−／ＯＣＰＳＥＬ端子は、プルアップ抵抗Ｒ８を通じて電圧ＶＬ（＋３．３Ｖ）にプルアップされている。プルアップ抵抗Ｒ８の抵抗値は、任意の抵抗値に設定することができる。当該実施例においては、プルアップ抵抗Ｒ８の抵抗値は４７ｋΩである。
【００３０】
＜ＤＣ／ＤＣコンバータ１０の動作＞
ＤＣ／ＤＣコンバータ１０の動作について、図２〜図４、図５Ａ、図５Ｂを参照しながら説明する。
【００３１】
図２は、リモートセンスを使用した出力電圧制御を実行するシステム構成を図示したブロック図である。
リモートセンスを使用した出力電圧制御を実行する場合、ＤＣ／ＤＣコンバータ１０のＶout端子（定電圧電源回路１１の出力電圧Ｖoutが出力される端子）は、ケーブル等を通じて、負荷装置２０の電圧入力部の＋端子に接続される。ＤＣ／ＤＣコンバータ１０のＧＮＤ２端子（二次側グランドＧＮＤ２が接続された端子）は、ケーブル等を通じて、負荷装置２０の電圧入力部の−端子に接続される。ＤＣ／ＤＣコンバータ１０のＳＥＮＳＥ＋端子は、ケーブル等を通じて、負荷装置２０の電圧入力部の＋端子に接続される。ＤＣ／ＤＣコンバータ１０のＳＥＮＳＥ−／ＯＣＰＳＥＬ端子は、ケーブル等を通じて、負荷装置２０の電圧入力部の−端子に接続される。つまりＳＥＮＳＥ−／ＯＣＰＳＥＬ端子は、負荷装置２０の電圧入力部の−端子において、二次側グランドＧＮＤ２に短絡される。したがってＳＥＮＳＥ−／ＯＣＰＳＥＬ端子の電圧は、ほぼ０Ｖとなる。
【００３２】
このようなシステム構成においてＤＣ／ＤＣコンバータ１０の制御部１４は、ＳＥＮＳＥ−／ＯＣＰＳＥＬ端子の電圧が閾値電圧未満であることを条件として、ＳＥＮＳＥ−／ＯＣＰＳＥＬ端子が負荷装置２０側でグランドに短絡されていると判定し、リモートセンスを使用した出力電圧制御を実行する。より具体的にはＤＣ／ＤＣコンバータ１０の制御部１４は、ＳＥＮＳＥ＋端子とＳＥＮＳＥ−／ＯＣＰＳＥＬ端子との間の電位差に基づいて、負荷装置２０の電圧入力部の電圧が定格電圧になるように定電圧電源回路１１の出力電圧Ｖoutを制御する。
【００３３】
図３は、リモートセンスを使用した出力電圧制御を実行しないシステム構成を図示したブロック図である。
リモートセンスを使用した出力電圧制御を実行しない場合、ＤＣ／ＤＣコンバータ１０のＶout端子は、ケーブル等を通じて、負荷装置２０の電圧入力部の＋端子に接続される。ＤＣ／ＤＣコンバータ１０のＧＮＤ２端子は、ケーブル等を通じて、負荷装置２０の電圧入力部の−端子に接続される。ＤＣ／ＤＣコンバータ１０のＳＥＮＳＥ＋端子は、何も接続されない。ＤＣ／ＤＣコンバータ１０のＳＥＮＳＥ−／ＯＣＰＳＥＬ端子は、ＧＮＤ２端子との間に外付け抵抗Ｒ９が取り付けられるか、あるいは何も取り付けられずに開放される。
【００３４】
前述したようにＤＣ／ＤＣコンバータ１０のＳＥＮＳＥ−／ＯＣＰＳＥＬ端子は、抵抗Ｒ８（プルアップ抵抗）を通じて電圧ＶＬにプルアップされている。したがってＤＣ／ＤＣコンバータ１０のＧＮＤ２端子とＳＥＮＳＥ−／ＯＣＰＳＥＬ端子との間に外付け抵抗Ｒ９が取り付けられると、ＳＥＮＳＥ−／ＯＣＰＳＥＬ端子の電圧は、抵抗Ｒ８（プルアップ抵抗）の抵抗値と外付け抵抗Ｒ９の抵抗値との比率で電圧ＶＬ（プルアップ電圧）を分圧した電圧となる。そしてこのときのＳＥＮＳＥ−／ＯＣＰＳＥＬ端子の電圧は、外付け抵抗Ｒ９の抵抗値を変更することによって変更することができる。またＳＥＮＳＥ−／ＯＣＰＳＥＬ端子が開放された状態になると、ＳＥＮＳＥ−／ＯＣＰＳＥＬ端子の電圧は、電圧ＶＬ（プルアップ電圧）となる。
【００３５】
このようなシステム構成においてＤＣ／ＤＣコンバータ１０の制御部１４は、ＳＥＮＳＥ−／ＯＣＰＳＥＬ端子の電圧が閾値電圧以上であることを条件として、ＤＣ／ＤＣコンバータ１０のＧＮＤ２端子とＳＥＮＳＥ−／ＯＣＰＳＥＬ端子との間に外付け抵抗Ｒ９が取り付けられているか、あるいはＳＥＮＳＥ−／ＯＣＰＳＥＬ端子が開放されていると判定する。この場合、ＤＣ／ＤＣコンバータ１０の制御部１４は、ＳＥＮＳＥ−／ＯＣＰＳＥＬ端子の電圧に基づいて、定電圧電源回路１１の出力電流の電流制限値（所定の制御パラメータ）を設定する。
【００３６】
図４は、外付け抵抗Ｒ９の抵抗値と定電圧電源回路１１の出力電流の電流制限値との関係を示す表である。
ＳＥＮＳＥ−／ＯＣＰＳＥＬ  Ａ／Ｄ  ＶＡＬＵＥは、外付け抵抗Ｒ９の抵抗値に対するＳＥＮＳＥ−／ＯＣＰＳＥＬ端子の電圧の最小値、平均値、最大値であり、制御部１４の内部のＡ／Ｄ変換回路でＡ／Ｄ変換した後のデジタル値である。ＯＣＰは、定電圧電源回路１１の出力電流の定格電流に対する電流制限値の割合である。例えばＯＣＰが１５％の場合、定電圧電源回路１１の出力電流の電流制限値は、定電圧電源回路１１の定格電流の１５％の電流値となる。ＦＡＵＬＴ指定値は、定電圧電源回路１１の出力電流が電流制限値まで増加したときに、定電圧電源回路１１の出力を停止するための制御パラメータである。ＷＡＲＮＩＮＧ指定値は、定電圧電源回路１１の出力電流が電流制限値まで増加する手前で警報（アラーム音、警報表示灯等）を発するための制御パラメータである。
【００３７】
図５Ａ、図５Ｂは、制御部１４による制御手順を図示したフローチャートである。以下、図５Ａ、図５Ｂに図示したフローチャートによる制御手順について説明する。
【００３８】
まずＳＥＮＳＥ−／ＯＣＰＳＥＬ端子の電圧をＡ／Ｄ変換する（ステップＳ１）。つづいてＡ／Ｄ変換値を複数回取得して平均値を算出し（ステップＳ２）、そのＡ／Ｄ変換値の平均値をレジスタＷ０にセットする（ステップＳ３）。
【００３９】
つづいてレジスタＷ０の値が既定値ｅｘｔ＿ｏｃｐ６＿ｍａｘより大きいか否かを判定する（ステップＳ４）。レジスタＷ０の値が既定値ｅｘｔ＿ｏｃｐ６＿ｍａｘより大きい場合には（ステップＳ４でＹｅｓ）、ＧＮＤ２端子とＳＥＮＳＥ−／ＯＣＰＳＥＬ端子との間に抵抗値が１３０ｋΩより大きい外付け抵抗Ｒ９が取り付けられているか、あるいはＳＥＮＳＥ−／ＯＣＰＳＥＬ端子が開放されていると判定する。この場合には、出力電流の電流制限を行うか否かを設定するフラグであるｆｌａｇ＿ｅｘｔ＿ｏｃｐの値を０に設定する（ステップＳ５）。それによってＤＣ／ＤＣコンバータ１０は、定電圧電源回路１１の出力電流の電流制限を行わない設定（ｄｅｆａｕｌｔ設定）となる。
【００４０】
レジスタＷ０の値が既定値ｅｘｔ＿ｏｃｐ６＿ｍａｘ以下の場合には（ステップＳ４でｎｏ）、つづいてレジスタＷ０の値が既定値ｅｘｔ＿ｏｃｐ５＿ｍａｘより大きいか否かを判定する（ステップＳ６）。レジスタＷ０の値が既定値ｅｘｔ＿ｏｃｐ５＿ｍａｘより大きい場合には（ステップＳ６でＹｅｓ）、ＧＮＤ２端子とＳＥＮＳＥ−／ＯＣＰＳＥＬ端子との間に抵抗値が１３０ｋΩの外付け抵抗Ｒ９が取り付けられていると判定する。この場合には、ＯＣＰが１００％となるように、ＦＡＵＬＴ指定値をｅｘｔ＿ｏｃｐ６＿Ｆに設定し、ＷＡＲＮＩＮＧ指定値をｅｘｔ＿ｏｃｐ６＿Ｗに設定する（ステップＳ７）。そしてｆｌａｇ＿ｅｘｔ＿ｏｃｐの値を１に設定する（ステップＳ２０）。それによってＤＣ／ＤＣコンバータ１０は、設定したＦＡＵＬＴ指定値及びＷＡＲＮＩＮＧ指定値に基づいて定電圧電源回路１１の出力電流が制限される。
【００４１】
レジスタＷ０の値が既定値ｅｘｔ＿ｏｃｐ５＿ｍａｘ以下の場合には（ステップＳ６でｎｏ）、つづいてレジスタＷ０の値が既定値ｅｘｔ＿ｏｃｐ４＿ｍａｘより大きいか否かを判定する（ステップＳ８）。レジスタＷ０の値が既定値ｅｘｔ＿ｏｃｐ４＿ｍａｘより大きい場合には（ステップＳ８でＹｅｓ）、ＧＮＤ２端子とＳＥＮＳＥ−／ＯＣＰＳＥＬ端子との間に抵抗値が８２ｋΩの外付け抵抗Ｒ９が取り付けられていると判定する。この場合には、ＯＣＰが９０％となるように、ＦＡＵＬＴ指定値をｅｘｔ＿ｏｃｐ５＿Ｆに設定し、ＷＡＲＮＩＮＧ指定値をｅｘｔ＿ｏｃｐ５＿Ｗに設定する（ステップＳ９）。そしてｆｌａｇ＿ｅｘｔ＿ｏｃｐの値を１に設定する（ステップＳ２０）。それによってＤＣ／ＤＣコンバータ１０は、設定したＦＡＵＬＴ指定値及びＷＡＲＮＩＮＧ指定値に基づいて定電圧電源回路１１の出力電流が制限される。
【００４２】
レジスタＷ０の値が既定値ｅｘｔ＿ｏｃｐ４＿ｍａｘ以下の場合には（ステップＳ８でｎｏ）、つづいてレジスタＷ０の値が既定値ｅｘｔ＿ｏｃｐ３＿ｍａｘより大きいか否かを判定する（ステップＳ１０）。レジスタＷ０の値が既定値ｅｘｔ＿ｏｃｐ３＿ｍａｘより大きい場合には（ステップＳ１０でＹｅｓ）、ＧＮＤ２端子とＳＥＮＳＥ−／ＯＣＰＳＥＬ端子との間に抵抗値が５６ｋΩの外付け抵抗Ｒ９が取り付けられていると判定する。この場合には、ＯＣＰが７５％となるように、ＦＡＵＬＴ指定値をｅｘｔ＿ｏｃｐ４＿Ｆに設定し、ＷＡＲＮＩＮＧ指定値をｅｘｔ＿ｏｃｐ４＿Ｗに設定する（ステップＳ１１）。そしてｆｌａｇ＿ｅｘｔ＿ｏｃｐの値を１に設定する（ステップＳ２０）。それによってＤＣ／ＤＣコンバータ１０は、設定したＦＡＵＬＴ指定値及びＷＡＲＮＩＮＧ指定値に基づいて定電圧電源回路１１の出力電流が制限される。
【００４３】
レジスタＷ０の値が既定値ｅｘｔ＿ｏｃｐ３＿ｍａｘ以下の場合には（ステップＳ１０でｎｏ）、つづいてレジスタＷ０の値が既定値ｅｘｔ＿ｏｃｐ２＿ｍａｘより大きいか否かを判定する（ステップＳ１２）。レジスタＷ０の値が既定値ｅｘｔ＿ｏｃｐ２＿ｍａｘより大きい場合には（ステップＳ１２でＹｅｓ）、ＧＮＤ２端子とＳＥＮＳＥ−／ＯＣＰＳＥＬ端子との間に抵抗値が３６ｋΩの外付け抵抗Ｒ９が取り付けられていると判定する。この場合には、ＯＣＰが６０％となるように、ＦＡＵＬＴ指定値をｅｘｔ＿ｏｃｐ３＿Ｆに設定し、ＷＡＲＮＩＮＧ指定値をｅｘｔ＿ｏｃｐ３＿Ｗに設定する（ステップＳ１３）。そしてｆｌａｇ＿ｅｘｔ＿ｏｃｐの値を１に設定する（ステップＳ２０）。それによってＤＣ／ＤＣコンバータ１０は、設定したＦＡＵＬＴ指定値及びＷＡＲＮＩＮＧ指定値に基づいて定電圧電源回路１１の出力電流が制限される。
【００４４】
レジスタＷ０の値が既定値ｅｘｔ＿ｏｃｐ２＿ｍａｘ以下の場合には（ステップＳ１２でｎｏ）、つづいてレジスタＷ０の値が既定値ｅｘｔ＿ｏｃｐ１＿ｍａｘより大きいか否かを判定する（ステップＳ１４）。レジスタＷ０の値が既定値ｅｘｔ＿ｏｃｐ１＿ｍａｘより大きい場合には（ステップＳ１４でＹｅｓ）、ＧＮＤ２端子とＳＥＮＳＥ−／ＯＣＰＳＥＬ端子との間に抵抗値が２４ｋΩの外付け抵抗Ｒ９が取り付けられていると判定する。この場合には、ＯＣＰが４５％となるように、ＦＡＵＬＴ指定値をｅｘｔ＿ｏｃｐ２＿Ｆに設定し、ＷＡＲＮＩＮＧ指定値をｅｘｔ＿ｏｃｐ２＿Ｗに設定する（ステップＳ１５）。そしてｆｌａｇ＿ｅｘｔ＿ｏｃｐの値を１に設定する（ステップＳ２０）。それによってＤＣ／ＤＣコンバータ１０は、設定したＦＡＵＬＴ指定値及びＷＡＲＮＩＮＧ指定値に基づいて定電圧電源回路１１の出力電流が制限される。
【００４５】
レジスタＷ０の値が既定値ｅｘｔ＿ｏｃｐ１＿ｍａｘ以下の場合には（ステップＳ１４でｎｏ）、つづいてレジスタＷ０の値が既定値ｅｘｔ＿ｏｃｐ０＿ｍａｘより大きいか否かを判定する（ステップＳ１６）。レジスタＷ０の値が既定値ｅｘｔ＿ｏｃｐ０＿ｍａｘより大きい場合には（ステップＳ１６でＹｅｓ）、ＧＮＤ２端子とＳＥＮＳＥ−／ＯＣＰＳＥＬ端子との間に抵抗値が１５ｋΩの外付け抵抗Ｒ９が取り付けられていると判定する。この場合には、ＯＣＰが３０％となるように、ＦＡＵＬＴ指定値をｅｘｔ＿ｏｃｐ１＿Ｆに設定し、ＷＡＲＮＩＮＧ指定値をｅｘｔ＿ｏｃｐ１＿Ｗに設定する（ステップＳ１７）。そしてｆｌａｇ＿ｅｘｔ＿ｏｃｐの値を１に設定する（ステップＳ２０）。それによってＤＣ／ＤＣコンバータ１０は、設定したＦＡＵＬＴ指定値及びＷＡＲＮＩＮＧ指定値に基づいて定電圧電源回路１１の出力電流が制限される。
【００４６】
レジスタＷ０の値が既定値ｅｘｔ＿ｏｃｐ０＿ｍａｘ以下の場合には（ステップＳ１６でｎｏ）、つづいてレジスタＷ０の値が「閾値電圧」としての既定値ｅｘｔ＿ｏｃｐ０＿ｍｉｎ未満か否かを判定する（ステップＳ１８）。レジスタＷ０の値が既定値ｅｘｔ＿ｏｃｐ０＿ｍｉｎ以上である場合には（ステップＳ１８でＮｏ）、ＧＮＤ２端子とＳＥＮＳＥ−／ＯＣＰＳＥＬ端子との間に抵抗値が１０ｋΩの外付け抵抗Ｒ９が取り付けられていると判定する。この場合には、ＯＣＰが１５％となるように、ＦＡＵＬＴ指定値をｅｘｔ＿ｏｃｐ０＿Ｆに設定し、ＷＡＲＮＩＮＧ指定値をｅｘｔ＿ｏｃｐ０＿Ｗに設定する（ステップＳ１９）。そしてｆｌａｇ＿ｅｘｔ＿ｏｃｐの値を１に設定する（ステップＳ２０）。それによってＤＣ／ＤＣコンバータ１０は、設定したＦＡＵＬＴ指定値及びＷＡＲＮＩＮＧ指定値に基づいて定電圧電源回路１１の出力電流が制限される。
【００４７】
そしてレジスタＷ０の値が「閾値電圧」としての既定値ｅｘｔ＿ｏｃｐ０＿ｍｉｎ未満である場合には（ステップＳ１８でＹｅｓ）、ＳＥＮＳＥ−／ＯＣＰＳＥＬ端子が負荷装置２０側でグランドに短絡されていると判定する。この場合には、ｆｌａｇ＿ｓｅｎｓｅ＿ｍの値を１に設定する（ステップＳ２１）。それによってＤＣ／ＤＣコンバータ１０は、ＳＥＮＳＥ＋端子とＳＥＮＳＥ−／ＯＣＰＳＥＬ端子との間の電位差に基づいて、負荷装置２０の電圧入力部の電圧が定格電圧になるように定電圧電源回路１１の出力電圧Ｖoutが制御される。
【００４８】
以上説明したように、本発明に係るＤＣ／ＤＣコンバータ１０は、リモートセンス機能を備えるとともに、リモートセンス機能を使用しない場合には、ＳＥＮＳＥ−／ＯＣＰＳＥＬ端子を所定の制御パラメータの設定端子として使用することができる。そして所定の制御パラメータは、外付け抵抗Ｒ９の抵抗値によって任意の値に設定することができる。
【００４９】
このようにして本発明によれば、リモートセンス機能のために設けられた回路を他の用途にも使用することが可能な電源装置を提供することができる。また電源装置の一例としてＤＣ／ＤＣコンバータを例に説明したが、本発明は、例えばＡＣ／ＤＣコンバータにおいても実施可能であり、そのような電源装置においても本発明による作用効果が得られるのは言うまでもない。さらに本発明において所定の制御パラメータは、上記説明した定電圧電源回路１１の出力電流の電流制限値に特に限定されるものではなく、定電圧電源回路１１の制御に用いられる制御パラメータであれば、どのような制御パラメータでもよい。
【符号の説明】
【００５０】
１０  ＤＣ／ＤＣコンバータ
１１  定電圧電源回路
１２  入力電圧検出回路
１３  出力電圧検出回路
１４  制御部
１５  アイソレータ
１６  ドライバ
１７  リモートセンス回路
２０  負荷装置
Ｒ８  プルアップ抵抗
Ｒ９  外付け抵抗
【図１】
0006320210.tif 000002
【図２】
0006320210.tif 000003
【図３】
0006320210.tif 000004
【図４】
0006320210.tif 000005
【図５Ａ】
0006320210.tif 000006
【図５Ｂ】
0006320210.tif 000007